(57)【要約】【課題】電線の噛み込み防止して配索作業の効率化に貢献することができる電気接続箱を提供する。【解決手段】電線Ｗが接続された接続部材３を装着する装着部８を設けたケース本体２と、前記接続部材３を装着する前記ケース本体２の開口を塞ぐとともに前記電線Ｗを収容するカバー部材と、を有する電気接続箱１において、前記装着部８を形成するフレーム部材７の角部２４から前記カバー部材に向かって延伸するとともに、断面形状が前記角部の形状である延伸部材１１を有することを特徴とする。【選択図】図３
2007068274.tif 000002
【特許請求の範囲】
【請求項１】
電線が接続された接続部材を装着する装着部を設けたケース本体と、前記接続部材を装着する前記ケース本体の開口を塞ぐとともに前記電線を収容するカバー部材と、を有する電気接続箱において、
前記装着部を形成するフレーム部材の角部又は交叉部から前記カバー部材に向かって延伸するとともに、断面形状が前記角部又は交叉部の形状である延伸部材を有することを特徴とする電気接続箱。
【請求項２】
前記延伸部材が、前記電線を配索する近傍の前記フレーム部材の角部又は交叉部に設けられていることを特徴とする請求項１に記載の電気接続箱。
【請求項３】
前記ケース本体が、その外壁面に凹溝を形成するとともに、前記延伸部材が、前記凹溝の角部に設けられていることを特徴とする請求項１又は２に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、端子金具と、を備えている。箱本体の例えば上面には、前述したリレー、ヒューズやヒュージブルリンクなどの電気部品が装着される装着部が複数設けられている。また、箱本体の例えば下面には、前述した自動車に配索されるワイヤハーネスのコネクタが嵌合する。
【０００６】
ワイヤハーネスは、複数の電線と、該電線の端部などに取り付けられたコネクタとを備えている。コネクタは、前述した自動車に搭載される各種の電子機器や前述した箱本体に嵌合する。さらに、箱本体は、前述した装着部に装着される各種の電気部品と、ワイヤハーネスのコネクタの端子とを予め定められたパターンにしたがって接続するバスバなどを収容している。
【０００７】
端子金具は、厚手の導電性の板金からなり、平板状の電気接触部と、電線接続部とを一体に備えている。電気接触部には、ボルトのねじ部を通すことのできる孔又は切欠きが設けられている。電気接触部は、孔又は切欠き内にねじ部が通るボルトが箱本体の上面にねじ込まれるなどして、前述した箱本体に取り付けられる。
【０００８】
電線接続部は、前述した電気接触部から折り曲げられて、該電気接触部から立設している。電線接続部は、電源などと接続した電線を加締めるかしめ片などを備えている。電線接続部は、加締め片で電線を加締めて、該電線の芯線と接続する。
【０００９】
前述した電気接続箱は、電線が取り付けられた端子金具の電気接触部をボルトにより、前述した箱本体の上面に取り付ける。なお、このとき、端子金具の電線接続部及び該電線接続部に取り付けられた電線を、前記箱本体内に収容することなく該箱本体の外壁面に沿わしておく。
【００１０】
そして、各装着部に所望の電気部品を装着し、ワイヤハーネスのコネクタを箱本体の下面に嵌合する。こうして、前述した電気接続箱が組み立てられる。そして、電気接続箱は、電源などから供給される電源からの電力を、ヒュージブルリンク、ワイヤハーネスの電線などを介して前述した電子機器に供給する。
【００１１】
また、前述した電気接続箱においては、カバーと取り付ける際の電線の噛み込みによって種々の不具合が生じていたことから、その不具合を解消する提案がなされてきた。例えば、ケース本体の上面における電線の引出部となる箇所に、一対の引出ガイドピンを突設させるとともに、ケース本体より外方に延在する固定片を突設することにより、ケース本体に取り付けた電線を前記引出ガイドピンの間に通して、直線状に張りつめた状態で、固定片にテープ又はバンドにより結束固定することで、電線が拘束され、電線の拡がりを抑えることで、電線の噛み込み防止を図ってきた（特許文献１参照）。
【特許文献１】特開２０００−３５８３１２号公報
【発明の開示】
【発明が解決しようとする課題】
【００１２】
しかしながら、従来の電気接続箱では、前記引出ガイドピンをケース本体に形成する必要があり、そのピンの剛性が十分でないと折れてしまう可能性があった。また、電気接続箱の本体ケースに、前記接続部を有する複数のカセットボックスを収容する場合、本体ケースの内部は中空状となっており、平面部分がほとんど形成されていなフレーム部材で構成されていることから、前記引出ガイドピンを形成することが困難であり、また、剛性を高めるために前記引出ガイドピンを太く形成することも困難であった。そのため、ケース本体がコの字、Ｌ字等の複雑な形状に形成されていると、前記引出ガイドピンの形成位置もより一層限られてしまい、カバーケース装着時の電線の噛み込みを防止して電線配索作業の効率化を図ることは困難であった。
【００１３】
よって本発明は、上述した問題点に鑑み、電線の噛み込み防止して配索作業の効率化に貢献することができる電気接続箱を提供することを課題としている。
【課題を解決するための手段】
【００１４】
上記課題を解決するため本発明によりなされた請求項１記載の電気接続箱は、電線が接続された接続部材を装着する装着部を設けたケース本体と、前記接続部材を装着する前記ケース本体の開口を塞ぐとともに前記電線を収容するカバー部材と、を有する電気接続箱において、前記装着部を形成するフレーム部材の角部又は交叉部から前記カバー部材に向かって延伸するとともに、断面形状が前記角部又は交叉部の形状である延伸部材を有することを特徴とする。
【００１５】
上記請求項１に記載した本発明の電気接続箱によれば、装着部を形成するフレーム部材の角部又は交叉部から断面形状が角部又は交叉部の形状である延伸部材を延伸していることから、角形状を有する延伸部材の剛性は向上しているため、該延伸部材を電線の配索に用いることができる。
【００１６】
請求項２記載の発明は、請求項１に記載の電気接続箱において、前記延伸部材が、前記電線を配索する近傍の前記フレーム部材の角部又は交叉部に設けられていることを特徴とする。
【００１７】
上記請求項２に記載した本発明の電気接続箱によれば、電気接続箱内における電線を配索する近傍に位置するフレーム部材の角部又は交叉部から延伸部材を延伸していることから、延伸部材を電線の配索作業に有効利用することができる。
【００１８】
請求項３記載の発明は、請求項１又は２に記載の電気接続箱において、前記ケース本体が、その外壁面に凹溝を形成するとともに、前記延伸部材が、前記凹溝の角部に設けられていることを特徴とする。
【００１９】
上記請求項３に記載した本発明の電気接続箱によれば、ケース本体の外壁面に形成された凹溝の角部に延伸部材を形成しているので、延伸部材によって凹溝を回避して電線を配索することができる。
【発明の効果】
【００２０】
以上説明したように請求項１に記載した本発明の電気接続箱によれば、ケース本体における装着部を形成するフレーム部材の角部又は交叉部から、断面形状が角部又は交叉部の形状である延伸部材を延伸させるようにしたことから、剛性が向上された延伸部材をフレーム部材に形成することができるため、その延伸部材を電線の配索に用いることができる。また、延伸部材はフレーム部材の角部又は交叉部を延伸させて形成することができるため、金型で簡単に形成することができるとともに、配索用のピン、フック等を形成するためにケース本体内に平面部等を形成する必要もない。従って、延伸部材を電線の配索に用いることができるため、電線の噛み込み防止して配索作業の効率化に貢献することができる。
【００２１】
請求項２に記載の発明によれば、請求項１に記載の発明の効果に加え、電気接続箱内における電線を配索する近傍に位置するフレーム部材の角部又は交叉部から延伸部材を延伸するようにしたことから、延伸部材を電線の配索に有効利用することができるため、配索作業のさらなる効率化を図ることができる。
【００２２】
請求項３に記載の発明によれば、請求項１又は２に記載の発明の効果に加え、ケース本体の外壁面に形成された凹溝の角部に延伸部材を形成するようにしたことから、延伸部材によって凹溝を回避して電線を配索することができるため、凹溝部分で電線がケース本体とカバー部材によって噛み込まれることを防止することができる。
【発明を実施するための最良の形態】
【００２３】
以下、本発明の一実施形態にかかる電気接続箱を図１ないし図４の図面に基づいて説明する。図１は本発明の一実施形態に係る電気接続箱の外観を示す斜視図である。図２は図１に示された電気接続箱を分解して示す斜視図である。図３は図２に示された電気接続箱の箱本体の下面における電線の配索例を示す模式図である。図４は図３に示された箱本体箱本体の側面図である。図５は図３に示された延伸部材の一部を示す拡大図である。
【００２４】
本実施形態にかかる図１に示す電気接続箱１は、移動体としての自動車に搭載される。電気接続箱１は、図１〜図５に示すように、ケース本体である箱本体２と、接続部材であるカセットブロック３と、カバー部材であるロアカバー５と、アッパーカバー６と、延伸部材１１と、を有している。
【００２５】
箱本体２は、例えば、ポリプロピレンテレフタレート等の絶縁性の合成樹脂からなり、周知の射出成形により成形される。箱本体２は、複数のフレーム７により、略筒状（箱状）に形成されている。箱本体２には、カセットブロック３、フュージブルリンク３Ａ等を装着する複数の装着部８が設けられている。装着部８の各々は、箱本体２の外壁及び仕切板等を構成する複数のフレーム部材７によって囲まれた空間である。装着部８の図１及び図２では上下に位置する両端は、開口している。また、箱本体２の装着部８の内面には、カセットブロック３の係止部１０が係止する図示しない係止受け部が設けられている。箱本体２の外壁には、ロアカバー５の後述する係止部５２と係止される係止部２３が複数設けられている。
【００２６】
カセットブロック３は、前記装着部８内に収容可能な大きさの箱状に形成されている。カセットブロック３は、装着部８の図１及び図２中の下方側の開口を通して、この装着部８内に挿入される。カセットブロック３には、複数の端子収容室９と、複数の係止部１０とが設けられている。端子収容室９は、カセットブロック３内に設けられた直線状の空間である。端子収容室９の長手方向は、互いに平行に設けられ、カセットブロック３が装着部８内に挿入される方向に沿っている。端子収容室９の図２中に上下に位置する両端は、開口している。
【００２７】
係止部１０は、カセットブロック３の外表面から凸に形成されており、前述した箱本体２に設けられた係止受け部に係止する。カセットブロック３は、前述した開口を通して、装着部８内に挿入される。そして、カセットブロック３は、係止部１０が係止受け部に係止して、箱本体２に固定される。こうして、カセットブロック３は、装着部８内に収容された状態で、箱本体２に固定される。
【００２８】
カセットブロック３の端子収容室９は、図１及び図２では上側に位置する表面に設けており、リレー、フューズ等の電気部品４が挿入されて固定される。そして、図１及び図２では下側、つまり、電気部品４の取付面とは反対側から図示しない電線を、端子収容室９にコネクタ等を介して取り付けられることで、電気部品４の端子の各々と前記電線が電気的に接続される。つまり、端子収容室９には、装着された電気部品４の数に応じて複数の電線が接続される。
【００２９】
また、箱本体２には、図１及び図２に示すように、１つの外壁である表面（以下、外壁面）２Ａから凹の凹溝２０を設けている。即ち、電気接続箱１は、凹溝２０を備えている。凹溝１４は、上面２１と下面２２とがお互いに相対する方向に沿って、直線状に伸びている。この凹溝２０には、その溝に沿って端子金具４０が設けられ、その後、保護カバー５０によって端子金具４０を固定するとともに凹溝１４が塞がれる。
【００３０】
端子金属４０は、平板状の電気接触部４１と、電線接続部４５とを一体に備えている。電気接触部４１の平面形状は、矩形状である。電気接触部４１には、ボルトのねじ部を通すことのできる孔４２が貫通している。
【００３１】
電線接続部４５は、底板部４６と、複数のかしめ片４７とを備えている。底板部４６は、電気接触部４１から折り曲げられて、該電気接触部４１から立設している。なお、図示例では、底板部４６と電気接触部４１とのなす角度は、略９０度である。電線接続部４５は、底板部４６を備えていることで、電気接触部４１から立設している。
【００３２】
かしめ片４７は、底板部４６の幅方向の両縁に連なっている。かしめ片４７は、底板部４６に近づく方向に曲げられて、該底板部４６との間に電線４８を挟む。こうして、かしめ片４７は、電線４８を加締める。電線接続部４５は、かしめ片４７が電線４８を加締めることで、該電線４８が取り付けられるとともに、電線４８と電気的に接続される。
【００３３】
ロアカバー５は、箱本体２と同様に、絶縁性の合成樹脂からなり、周知の射出成形により成形される。ロアカバー５は、互いに異なる複数の外壁５１を備えて、有底筒状に形成されている。ロアカバー５の外壁５１には、前述した箱本体２の係止部２３と係止する係止部５２が複数設けられている。ロアカバー５は、箱本体２に重ねられるようにして互いに近づけられ、係止部５２が箱本体２の係止部２３に係止して、箱本体２の前述した下面を覆うように、箱本体２に取り付けられる。
【００３４】
また、ロアカバー５には、図１に示すように、１つの外壁５１の表面（以下、ロア側外壁面と呼ぶ）５１ａから凹の凹溝５２が、上述した凹溝２０と連続する溝となるように設けられている。
【００３５】
アッパーカバー６は、箱本体２と同様に、絶縁性の合成樹脂からなり、周知の射出成形により成形される。アッパーカバー６は、箱本体２の上面と略同一形状の蓋状に形成されている。アッパーカバー６の縁部には、箱本体２の係止部２６と係止する係止部６１が設けられている。アッパーカバー６は、箱本体２に重ねられるようにして互いに近づけられ、係止部６１が箱本体２の係止部２６に係止して、箱本体２の前述した上面を覆うように、箱本体２に取り付けられる。
【００３６】
延伸部材１１は、装着部８を形成するフレーム部材７の凹溝２０の２つの角部２４の各々から、ロアカバー５に向かってロアカバー５の内面近傍まで延伸している。各延伸部材１１の断面形状は、フレーム部材７の角部２４の形状である略Ｌ字状となっており、例えば、十分な剛性が必要な場合は断面形状を大きくするというように、電線の配索に適した剛性を得るように断面形状の大きさを設計している。各延伸部材１１の長さは、電線の配索に適した長さとなるように、電線のサイズ、電線を束ねたときのサイズ等に応じて設計している。また、延伸部材１１の形状は、フレーム部材１１から先端に向かって細くなるように形成する、若しくは、同一の太さで形成することができる。延伸部材１１は、箱本体２と同一の合成樹脂からなり、周知の射出成形により成形される。
【００３７】
このように、箱本体２における装着部８を形成するフレーム部材７の２つの角部２４から、断面形状が角部２４のＬ字形状となるように延伸部材１１を延伸させるようにしたことから、剛性を向上された延伸部材１１をフレーム部材７に形成することができるため、その延伸部材１１を電線の配索に用いることができる。また、延伸部材１１はフレーム部材７の角部２４を延伸させて形成することができるため、金型で簡単に形成することができるとともに、配索用のピン、フック等を形成するために箱本体２内に平面部等を形成する必要もない。従って、延伸部材１１によって電線の噛み込み防止して配索作業の効率化に貢献することができる。
【００３８】
なお、本最良の形態では、延伸部材１１の断面がＬ字状の場合について説明するが、本発明はこれに限定するものではなく、フレーム部材７の角部又は交叉部の形状に応じて、Ｔ字、コの字等とすることもできる。また、図３における上方側の凹溝２０の角部２４のみに延伸部材１１を形成するようにしてもよい。
【００３９】
また、本最良の形態では、図３の上方のカセットブロック３の左側に接続される電線Ｗを箱本体２の電線収束部２５に直接収束させようとすると、箱本体２の凹溝２０を横断するために凹溝２０で噛み込みが生じてしまうため、電線Ｗを箱本体２内に配索するように、凹溝２０の角部２４に延伸部材１１を形成している。
【００４０】
このように、箱本体２の外壁面に形成された凹溝２０の角部２４に延伸部材１１を形成することで、延伸部材１１によって凹溝２０を回避して電線Ｗを配索することができるため、凹溝２０部分で電線Ｗが箱本体２とロアカバー５によって噛み込まれることを防止することができる。
【００４１】
本最良の形態では、延伸部材１１を凹溝２０の角部２４のフレーム７から延伸するように形成しているため、該延伸部材１１をロアカバー５に係合させる係合溝（図示せず）を形成している。このように延伸部材１１を形成すれば、延伸部材１１をフレーム部材７の角部２４から延伸させるだけ形成することができる。なお、延伸部材１１をロアカバー５内に収容する場合は、角部２４のフレーム部材７の肉厚を厚くして、延伸部材１１がロアカバー５と係合するようにロアカバー５を形成することで対応することができる。
【００４２】
前述した構成の延伸部材１１は、以下のように組み付けられる。まず、箱本体３の装着部８にカセットボックス３が装着され、カセットボックス３に複数の電線Ｗが接続される。そして、図３に示すように、箱本体２の凹溝２０の近傍を配索される電線Ｗは、２つの延伸部材１１に係合させて凹溝２０を迂回するように配索され、他の電線Ｗと共に束ねられる。そして、ロアカバー５が、箱本体２に重ねられるようにして互いに近づけられ、２つの延伸部材１１を箱本体２に係合させると共に、係止部５２が箱本体２の係止部２３に係止させて、箱本体２の前述した下面を覆うように、箱本体２に取り付けられ、束ねられた電線Ｗが箱本体２の電線収束部２５から外部に引き出される。そして、端子金属４０が端子に接続された後に、箱本体２の凹溝２０は保護カバー５０によって塞がれる。
【００４３】
以上説明したように、本発明の電気接続箱１によれば、箱本体２における装着部８を形成するフレーム部材７の角部２４から、断面形状が角部２４の形状である延伸部材１１を延伸させるようにしたことから、剛性を向上された延伸部材１１をフレーム部材７に形成することができるため、その延伸部材１１を電線Ｗの配索に用いることができる。また、延伸部材１１はフレーム部材７の角部２４を延伸させて形成することができるため、金型で簡単に形成することができるとともに、配索用のピン、フック等を形成するために箱本体２内に平面部等を形成する必要もない。従って、延伸部材１１によって電線の噛み込み防止して配索作業の効率化に貢献することができる。
【００４４】
なお、箱本体２内における電線Ｗを配索するフレーム部材７の角部又は交叉部から延伸させることもできる。このように、延伸部材１１を、箱本体２内における電線Ｗを配索する近傍に位置するフレーム部材７の角部又は交叉部から延伸部材１１を延伸することで、延伸部材１１を電線Ｗの配索に有効利用することができるため、配索作業の効率化を図ることができる。
【図面の簡単な説明】
【００４５】
【図１】本発明の一実施形態に係る電気接続箱の外観を示す斜視図である。
【図２】図１に示された電気接続箱を分解して示す斜視図である。
【図３】図２に示された電気接続箱の箱本体の下面における電線の配索例を示す模式図である。
【図４】図３に示された箱本体箱本体の側面図である。
【図５】図３に示された延伸部材の一部を示す拡大図である。
【符号の説明】
【００４６】
１  電気接続箱
２  箱本体
３  カセットブロック
７  フレーム部材
８  装着部
１１  延伸部材
２０  凹溝
Ｗ  電線
【図１】
2007068274.tif 000003
【図２】
2007068274.tif 000004
【図３】
2007068274.tif 000005
【図４】
2007068274.tif 000006
【図５】
2007068274.tif 000007